【手続補正書】
【提出日】平成27年6月9日(2015.6.9)
【手続補正１】
【補正対象書類名】特許請求の範囲
【補正対象項目名】全文
【補正方法】変更
【補正の内容】
【特許請求の範囲】
【請求項１】
（ａ）アノード電極；
（ｂ）カソード電極；
（ｃ）前記アノード電極と前記カソード電極との間のセパレーター；
（ｄ）前記アノード電極と前記カソード電極との間の電解質
を含む、電気エネルギー蓄積装置であって、
少なくとも１つの電極が、無視できる量のハロゲン化物不純物を有する、遷移金属窒化物または遷移金属窒化物の混合物を含有し、
前記遷移金属窒化物または遷移金属窒化物の混合物が、アルカリ金属添加剤をさらに含有する、
電気エネルギー蓄積装置。
【請求項２】
前記アノード電極およびカソード電極の両方が、前記無視できる量のハロゲン化物不純物を有する、前記遷移金属窒化物または遷移金属窒化物の混合物を含有する、請求項１に記載の電気エネルギー蓄積装置。
【請求項３】
前記アルカリ金属添加剤が、Ｌｉ、Ｎａ、およびＫからなる群から選択される少なくとも１つのアルカリ金属を含む、請求項２に記載の電気エネルギー蓄積装置。
【請求項４】
前記アノード電極、前記カソード電極、前記セパレーター、および前記電解質を封入するハウジングの外側に露出した、各電極に接続した電気端子をさらに含む、請求項１から３のいずれかに記載の電気エネルギー蓄積装置。
【請求項５】
前記アノード電極、前記セパレーター、および前記カソード電極の複数のセットのスタックをさらに含み、前記スタックは、前記電解質を有するハウジング中に封入されており、電気端子は、最外側の電極に接続しており、かつ前記ハウジングの外側に露出している、請求項１から３のいずれかに記載の電気エネルギー蓄積装置。
【請求項６】
前記電極が、金属箔上に形成された、遷移金属窒化物または遷移金属窒化物の混合物の粒子を含有する多孔性膜を含む、請求項１から５のいずれかに記載の電気エネルギー蓄積装置。
【請求項７】
前記多孔性膜が、１０重量パーセント超の遷移金属窒化物または遷移金属窒化物の混合物を含有する、請求項６に記載の電気エネルギー蓄積装置。
【請求項８】
前記金属箔は、アルミニウムを含む、請求項６または請求項７に記載の電気エネルギー蓄積装置。
【請求項９】
前記遷移金属窒化物または遷移金属窒化物の前記混合物の粒子が、１０ｍ２／ｇ超の比表面積を有する、請求項１から８のいずれかに記載の電気エネルギー蓄積装置。
【請求項１０】
前記遷移金属窒化物または遷移金属窒化物の前記混合物の粒子が、１００ｎｍ未満のサイズを有する、請求項１から９のいずれかに記載の電気エネルギー蓄積装置。
【請求項１１】
前記遷移金属窒化物が、窒化バナジウムを含む、請求項１から１０のいずれかに記載の電気エネルギー蓄積装置。
【請求項１２】
前記電解質が、炭酸プロピレンまたはアセトニトリルを含む、請求項１から１１のいずれかに記載の電気エネルギー蓄積装置。
【請求項１３】
前記電解質が、塩基性溶液である、請求項１から１２のいずれかに記載の電気エネルギー蓄積装置。
【請求項１４】
前記遷移金属窒化物が、超臨界アンモニア中で合成される、請求項１から１３のいずれかに記載の電気エネルギー蓄積装置。
【請求項１５】
第１の電極および第２の電極を有する電気エネルギー蓄積装置であって、前記電極の少なくとも１つが、
（ａ）反応器において１つまたは複数の遷移金属を含有する１つまたは複数の原料物質を供給することと、
（ｂ）前記反応器においてアンモニアを供給することと、
（ｃ）前記原料物質と前記アンモニアとの間の反応を増強させる鉱化剤を任意選択で供給することと、
（ｄ）前記反応器を加熱し、前記アンモニアの超臨界状態を達成することと
を含む方法によって合成された遷移金属窒化物粒子を使用して形成される、電気エネルギー蓄積装置。
【請求項１６】
前記鉱化剤が、Ｌｉ、Ｎａ、Ｋ、Ｃａ、ＭｇおよびＡｌから選択される少なくとも１つを含有する、請求項１５に記載の電気エネルギー蓄積装置。
【請求項１７】
前記反応器が、Ｎｉ−Ｃｒベースの合金から作製されたものである、請求項１５または請求項１６に記載の電気エネルギー蓄積装置。
【請求項１８】
前記反応器を、１３２℃または１３２℃より高い温度に加熱する、請求項１５から１７のいずれかに記載の電気エネルギー蓄積装置。
【請求項１９】
前記反応器が、密封され、加熱したアンモニアにより自己加圧されるバッチ反応器である、請求項１５から１８のいずれかに記載の電気エネルギー蓄積装置。
【請求項２０】
前記反応器が、合成の間に前記原料物質、前記アンモニア、もしくは前記鉱化剤の供給またはガス、生成物、もしくは副生成物の排出を可能とするセミバッチ反応器である、請求項１５から１８のいずれかに記載の電気エネルギー蓄積装置。
【請求項２１】
前記遷移金属が、Ｖである、請求項１５から２０のいずれかに記載の電気エネルギー蓄積装置。
【請求項２２】
前記原料物質が、金属バナジウム、酸化バナジウム、五酸化バナジウム、メタバナジウム酸アンモニウム、またはその１つもしくは複数の混合物である、請求項１５から２１のいずれかに記載の電気エネルギー蓄積装置。
【請求項２３】
粒径が１０ｎｍ未満である、請求項１５から２２のいずれかに記載の電気エネルギー蓄積装置。
【請求項２４】
前記粒子の比表面積が、１０ｍ２／ｇ超である、請求項１５から２３のいずれかに記載の電気エネルギー蓄積装置。
【請求項２５】
前記粒子の表面が酸化されている、請求項２３から２４のいずれかに記載の電気エネルギー蓄積装置。
【請求項２６】
前記遷移金属窒化物が、ハロゲン不純物を含有しない、請求項１から２５のいずれかに記載の電気エネルギー蓄積装置。
【請求項２７】
前記遷移金属窒化物が１ｐｐｍ未満のハロゲン化物不純物を含有する、請求項１から２５のいずれかに記載の電気エネルギー蓄積装置。
【手続補正２】
【補正対象書類名】明細書
【補正対象項目名】００１４
【補正方法】変更
【補正の内容】
【００１４】
本発明によって提供される超臨界アンモニア中で遷移金属窒化物を合成する新規な方法において、遷移金属を含有する原料物質を、アンモニアおよび鉱化剤と一緒に高圧反応器に供給する。還元剤として作用する鉱化剤は、アルカリ金属、アルカリ土類金属またはアルミニウムから選択される。次いで、反応器を１３２℃または１３２℃超で加熱し、アンモニアの超臨界状態を達成する。反応器は、加熱によってアンモニアの自己加圧を達成するために典型的には密封される。しかし、供給源、鉱化剤またはアンモニアのさらなる給送を可能とする半開放の反応器がまた使用可能である。鉱化した超臨界アンモニアの高い反応性は、通常の方法より低い温度にて遷移金属を窒化するのに非常に有効であり、したがって、例えば、より高温で粒子を焼結する工程より小さな粒径の触媒粒子を生成する。
本発明の好ましい実施形態において、例えば以下の項目が提供される。
（項目１）
（ａ）アノード電極；
（ｂ）カソード電極；
（ｃ）前記アノード電極と前記カソード電極との間のセパレーター；
（ｄ）前記アノード電極と前記カソード電極との間の電解質
を含む、電気エネルギー蓄積装置であって、
少なくとも１つの電極が、無視できる量のハロゲン化物不純物を有する、遷移金属窒化物または遷移金属窒化物の混合物を含有する、電気エネルギー蓄積装置。
（項目２）
前記アノード電極およびカソード電極の両方が、前記無視できる量のハロゲン化物不純物を有する、前記遷移金属窒化物または遷移金属窒化物の混合物を含有する、項目１に記載の電気エネルギー蓄積装置。
（項目３）
前記遷移金属窒化物または遷移金属窒化物の混合物が、アルカリ金属添加剤をさらに含有する、項目１または項目２に記載の電気エネルギー蓄積装置。
（項目４）
前記アルカリ金属添加剤が、Ｌｉ、Ｎａ、およびＫからなる群から選択される少なくとも１つのアルカリ金属を含む、項目３に記載の電気エネルギー蓄積装置。
（項目５）
前記アノード電極、前記カソード電極、前記セパレーター、および前記電解質を封入するハウジングの外側に露出した、各電極に接続した電気端子をさらに含む、項目１から４のいずれかに記載の電気エネルギー蓄積装置。
（項目６）
前記アノード電極、前記セパレーター、および前記カソード電極の複数のセットのスタックをさらに含み、前記スタックは、前記電解質を有するハウジング中に封入されており、電気端子は、最外側の電極に接続しており、かつ前記ハウジングの外側に露出している、項目１から４のいずれかに記載の電気エネルギー蓄積装置。
（項目７）
前記電極が、金属箔上に形成された、遷移金属窒化物または遷移金属窒化物の混合物の粒子を含有する多孔性膜を含む、項目１から６のいずれかに記載の電気エネルギー蓄積装置。
（項目８）
前記多孔性膜が、１０重量パーセント超の遷移金属窒化物または遷移金属窒化物の混合物を含有する、項目７に記載の電気エネルギー蓄積装置。
（項目９）
金属箔をさらに含み、前記金属箔は、アルミニウムを含む、項目７または項目８に記載の電気エネルギー蓄積装置。
（項目１０）
前記遷移金属窒化物または遷移金属窒化物の前記混合物の粒子が、１０ｍ２／ｇ超の比表面積を有する、項目１から９のいずれかに記載の電気エネルギー蓄積装置。
（項目１１）
前記遷移金属窒化物または遷移金属窒化物の前記混合物の粒子が、１００ｎｍ未満のサイズを有する、項目１から１０のいずれかに記載の電気エネルギー蓄積装置。
（項目１２）
前記遷移金属窒化物が、窒化バナジウムを含む、項目１から１１のいずれかに記載の電気エネルギー蓄積装置。
（項目１３）
前記電解質が、炭酸プロピレンまたはアセトニトリルを含む、項目１から１２のいずれかに記載の電気エネルギー蓄積装置。
（項目１４）
前記電解質が、塩基性溶液である、項目１から１３のいずれかに記載の電気エネルギー蓄積装置。
（項目１５）
前記遷移金属窒化物が、超臨界アンモニア中で合成される、項目１から１４のいずれかに記載の電気エネルギー蓄積装置。
（項目１６）
第１の電極および第２の電極を有する電気エネルギー蓄積装置であって、前記電極の少なくとも１つが、
（ａ）反応器において１つまたは複数の遷移金属を含有する１つまたは複数の原料物質を供給することと、
（ｂ）前記反応器においてアンモニアを供給することと、
（ｃ）前記原料物質と前記アンモニアとの間の反応を増強させる鉱化剤を任意選択で供給することと、
（ｄ）前記反応器を加熱し、前記アンモニアの超臨界状態を達成することと
を含む方法によって合成された遷移金属窒化物粒子を使用して形成される、電気エネルギー蓄積装置。
（項目１７）
前記鉱化剤が、Ｌｉ、Ｎａ、Ｋ、Ｃａ、ＭｇおよびＡｌから選択される少なくとも１つを含有する、項目１６に記載の電気エネルギー蓄積装置。
（項目１８）
前記反応器が、Ｎｉ−Ｃｒベースの合金から作製されたものである、項目１６または項目１７に記載の電気エネルギー蓄積装置。
（項目１９）
前記反応器を、１３２℃または１３２℃より高い温度に加熱する、項目１６から１８のいずれかに記載の電気エネルギー蓄積装置。
（項目２０）
前記反応器が、密封され、加熱したアンモニアにより自己加圧されるバッチ反応器である、項目１６から１９のいずれかに記載の電気エネルギー蓄積装置。
（項目２１）
前記反応器が、合成の間に前記原料物質、前記アンモニア、もしくは前記鉱化剤の供給またはガス、生成物、もしくは副生成物の排出を可能とするセミバッチ反応器である、項目１６から１９のいずれかに記載の電気エネルギー蓄積装置。
（項目２２）
前記遷移金属が、Ｖである、項目１６から２１のいずれかに記載の電気エネルギー蓄積装置。
（項目２３）
前記原料物質が、金属バナジウム、酸化バナジウム、五酸化バナジウム、メタバナジウム酸アンモニウム、またはその１つもしくは複数の混合物である、項目１６から２２のいずれかに記載の電気エネルギー蓄積装置。
（項目２４）
粒径が１０ｎｍ未満である、項目１６から２３のいずれかに記載の電気エネルギー蓄積装置。
（項目２５）
前記粒子の比表面積が、１０ｍ２／ｇ超である、項目１６から２４のいずれかに記載の電気エネルギー蓄積装置。
（項目２６）
前記粒子の表面が酸化されている、項目２４から２５のいずれかに記載の電気エネルギー蓄積装置。
（項目２７）
前記粒子が、ハロゲン不純物を含有しない、項目２４から２６のいずれかに記載の電気エネルギー蓄積装置。